(57)【特許請求の範囲】
【請求項１】
筆記描線を消去可能な消去具を備えた筆記具において、
前記消去具は、消去部を多角形状に形成し、当該消去部を装着した軸筒が当該消去部と相似形状であり、消去部はＪＩＳ  Ｋ６２５１に規定されたデュロメータ硬度Ａが７０°〜１００°となる材質であると共に、ＪＩＳ  Ｓ  ６０５０−２００２に規定する鉛筆描線の消字率が７０％以下のもので可塑剤を含有しないＪＩＳ  Ｋ７２０４試験法Ｈ２２でのテーパー摩耗量が１５ｍｇ未満のゴム弾性材料であり、全ての辺が違う長さとし、視認可能な透過性を有する保持部に装着されて、軸筒の一端に備えられ、
当該軸筒の他端には感熱インクによる筆記が可能であって前記消去部と相似かつ前記消去部よりも小さくした筆記部を備え、前記消去部は筆記部のインク色より明度の低い色を補着色したことを特徴とする感熱インク用の消去具を備えた筆記具。
【発明の詳細な説明】
【技術分野】
【０００１】
本発明は、複数幅に筆記された描線に対して消去が有効な消去具及び筆記具付き消去具に関する。
【背景技術】
【０００２】
従来、太い幅と細い幅の２種類の筆記描線を消去、変色させることが可能な消去具が開示されている（特許文献１、２参照）。
【先行技術文献】
【特許文献】
【０００３】
【特許文献１】特開２０１３−９５０１３号公報
【特許文献２】特開２０１４−１７７０５３号公報
【発明の概要】
【発明が解決しようとする課題】
【０００４】
しかし、特許文献１及び２に開示された技術において、幅の切り替えの際に軸筒の持ち手方向を決める必要があるが、その方向決めについては、容易ではない。
【０００５】
そこで、本発明は、複数の幅の筆記描線を消去、変色させることが可能で、複数の太さの描線を簡単に選んで消去ができる消去具及び筆記具付き消去具を提供する。
【課題を解決するための手段】
【０００６】
本発明は、筆記描線を消去可能な消去具において、
消去部を多角形状に形成し、当該消去部を装着した軸筒が当該消去部と相似形状であることを特徴とする消去具である。
【０００７】
本発明において、消去部は、視認可能な透過性を有する保持部に装着されていることが好適である。
【０００８】
本発明は、軸筒の一端に前記の消去部を備え、当該軸筒の他端に筆記が可能な筆記部を備えたことを特徴とする筆記具付き消去具である。
【発明の効果】
【０００９】
本発明の、消去具及び筆記具付き消去具によれば、消去部を多角形形状に形成するので各辺の選択使用によって、複数の幅の筆記描線を消去、変色させることが可能であると共に、前記消去部を装着する軸筒が当該消去部に相似形状であるので、当該軸筒の多角形の各辺に繋がる面を外面から見て、それに相似な消去部の各辺を適切に選択することができ、したがって、複数の長さが異なる辺から適切な長さの辺を簡単に選択して筆記描線を消去できる消去具及び筆記具付き消去具を提供できるという優れた効果を奏し得る。
なお、筆記具付き消去具において、筆記具による線幅よりも太い消去幅の辺を消去部に設けることが、筆跡の消去を容易にすることができるので、好ましい。
【図面の簡単な説明】
【００１０】
【図１】本発明の第１実施形態に係る消去具の説明図であり、（ａ）が先方からの斜視図、（ｂ）が（ｅ）のＢ−Ｂ線に沿う断面図、（ｃ）が先方からの視図、（ｄ）が（ｃ）の状態から９０°回転させた状態の側面図、（ｅ）が（ｃ）の状態での側面図、（ｆ）が後方からの斜視図、（ｇ）が後方からの視図である。
【図２】本発明の第２実施形態に係る消去具の説明図であり、（ａ）が先方からの斜視図、（ｂ）が（ｅ）のＢ−Ｂ線に沿う断面図、（ｃ）が先方からの視図、（ｄ）が（ｃ）の状態から９０°回転させた状態の側面図、（ｅ）が（ｃ）の状態での側面図、（ｆ）が後方からの斜視図、（ｇ）が後方からの視図である。
【図３】第２の実施形態に筆記具を組み合わせた第３実施形態に係る筆記具付き消去具の説明図であり、（ａ）が先方（消去部側）からの斜視図、（ｂ）が側面図、（ｃ）が（ｂ）の状態から９０°回転させた状態の側面図、（ｄ）が後方（筆記部側）からの斜視図である。
【発明を実施するための形態】
【００１１】
以下、本発明の実施形態について図面を参照して説明する。
【００１２】
図１は、第１実施形態に係る消去具である。
図１に示すように、第１実施形態に係る消去具は、消去部１０によって三種類以上の線幅の筆記が消去できるものである。
【００１３】
具体的には、前記消去部１０は、対となる辺の長さ（幅）が同じで隣り合う辺の長さが異なる異形六角形の異形六角形棒状を呈し、筆記（描線や筆跡等）の消去において消去部１０のいずれかの辺を筆記面に当てることで線幅を異なるものにして消去できる消去具１２となっている。
【００１４】
前記消去具１２では、消去部１０に横断面形状が相似な異形六角形（多角形状の例）に形成した軸筒１４の先端先端（先端部１４ａ）に前記消去部１０を下記保持部１６を介して装着している。
【００１５】
また、消去部１０は、視認可能な透過性を有する軸方向に長い保持部１６の先端に装着固定されていて、前記消去部１０が前記保持部１６とは異形六角形の同様断面形状に形成されている。
【００１６】
図２は第２実施形態に係る消去具を示す。
【００１７】
この第２実施形態に係る消去具１２では、消去部１０が軸方向に長く形成され前記のごとき保持部１６がなく、その軸状の消去部１０が軸筒１４の先端（先端部１４ａ）に装着固定されている。
第１実施形態に係る消去部１０は、上記第１実施形態の保持部が有る場合に比較した体積が大きいので、消去部１０が使用によって減っていくものでも体積が大きさから第１実施形態のものよりも長く、多くの消去が可能である。
【００１８】
〔実施形態共通〕
第１、第２実施形態に係る消去具は、図１、図２においてキャップは図示しないが、キャップを軸筒１４の先端に装着することによって、消去部１０を多い当該消去部１０の汚れを防ぐことができる。
【００１９】
消去部１０は、図１、図２に示すように、六角形形状等の多角形状であり、複数の描線を選んで引けるようにする。複数描線を１本で消去可能である。
【００２０】
そして、図１、図２に示すように、消去部１０の断面形状を三角形、六角形等の三角形以上の複数角の多角形状にできる。
【００２１】
また、断面形状は「筆記幅の種類×２」で筆記幅の同じ辺が互いに平行とすることが好適である。例えば図１（ｂ）では同じ筆記幅の辺同士を符号１０ａ、１０ｂ、１０ｃで示す。第１、第２実施形態の消去具は、軸筒１４の形状も同様である。図１（ｃ）では、軸筒１４外面で同じ幅の辺同士を符号１４１、１４２、１４３で示す。したがって、図１（ｂ）及び（ｃ）を参照すれば、前記消去部１０の辺１０ａ、１０ｂ、１０ｃが、前記軸筒１４の辺１４１、１４２、１４３に対応し、前記消去部１０が軸筒１４に相似であることが理解されるか。
【００２２】
第１実施形態の保持部１６は消去部１０と同形状断面とすることが好適である。また、保持部１６は消去部１０が容易に視認可能とするため、アクリル、ＡＢＳ、ガラス等の透過性の高い材質で形成することが好適である。
【００２３】
軸筒１４の表面に消去幅を認知させる文字・数字を加えても良い。
【００２４】
また、軸筒１４の端部が筒状に細径になって（先端部１４ａ）、その中に第１実施形態では消去部１０を保持し、第２実施形態では保持部１６を保持している。
【００２５】
消去具１２の消去部１０の材質は、紙面等との摩擦動作によって消去可能とし、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物で構成される。特にポリプロピレン樹脂及びスチレン系熱可塑性エラストマーの混合物、またはポリプロピレン樹脂及びポリプロピレン系熱可塑性エラストマーの混合物から形成され、その配合比率がそれぞれ重量比で１：１〜１：４であり、研磨剤、可塑剤、充填剤を含有せず、ＪＩＳ  Ｋ６２５１に規定されたデュロメータ硬度Ａが７０°〜１００°となる材質からなり、ＪＩＳ  Ｓ  ６０５０−２００２に規定する鉛筆描線の消し能力（消字率）が７０％以下のものである可塑剤を含有しない低摩耗性のゴム弾性材料が好適である。
【００２６】
ここで挙げる低摩耗性とは、ＪＩＳ  Ｋ７２０４試験法Ｈ２２でのテーパー摩耗量が１５ｍｇ未満であることを示す材料から形成される。それによって消去部は、擦過時に消しカスが生じにくい。
【００２７】
図３は、第３実施形態に係る筆記具付きの消去具である。
第３実施形態では、軸方向に見て一端に上記第１、第２実施形態に係る消去部１０、他端に筆記が可能な筆記部１８を備えた筆記具付き消去具としている。なお、消去部１０に関しては、前記第２実施形態と同様に軸筒１４に固定しているが、第１実施形態のように、保持部１６の先端に消去部１０を設ける構成にもできる。また、第３実施形態では、第１、第２実施形態と同様部分に同一符号を付している。
【００２８】
消去部１０は筆記具（筆記部１８）のインク色と略同色又はインク色より明度の低い色（黒色が好適である）を補着色し、視認しやすくしても良い。
【００２９】
筆記部１８は多角形形状のペン芯にインクを誘導含浸して当該インクを塗布したり筆記したりするものにできる。
また、当該筆記部１８は、第１実施形態と同様に保持部先端に設けて、保持部内にインク誘導管を有する形態としても良いが、その際は当該インク誘導管を筆記部１８のペン芯の軸心に配置することが好適である。
【００３０】
筆記部１８のペン芯には、焼結体あるいは繊維束体、等のマーキングペン芯を有する。
【００３１】
また、消去部１０は、筆記部１８と断面形状を相似にしてかつ筆記部１８よりも大きくすることで、対応する筆跡幅より消去幅を大きくなるため、好適である。
【００３２】
筆記具内（軸筒１４内のインクタンク１４ｂ内など）に収容するインクは、少なくともロイコ染料、顕色剤、結晶性物質からなる顕色粒子を着色剤として含有する筆記具用感熱インク組成物であって、更に、前記着色剤とは別にガラス転移温度（Ｔｇ）が３０〜９０℃である非晶質樹脂からなる消色剤を含有してなることを特徴とする筆記具用感熱消色性インク（インキ）組成物が好適である。
【００３３】
上記は摩擦熱等によって消色可能な感熱インクであるが、消しゴム等の擦過により消去できる消しゴム消去性インクとしても良い。
【００３４】
なお、本発明は上記実施形態に限定されず、本発明の範囲内で変形実施できる。例えば、消去部、軸筒は異形の六角形横断面に限定されず、異形の三角形横断面、四角形、五角形、七角形の横断面形状とすることもできる。また、各辺は同長さの辺を含んでも含んでいなくてもよいが、全ての辺が違う長さとすると多彩な幅の筆跡の筆記及び消去が可能となり、好適である。
【産業上の利用可能性】
【００３５】
本発明の消去具及び筆記具付き消去具は、消去部が多角形形状であるので各辺の選択使用によって、複数の幅の筆記描線を消去、変色させることが可能とし、軸筒が消去部に相似形状であるので、複数の太さの描線を簡単に選んで消去ができる消去具及び筆記具付き消去具として利用することができる。
【符号の説明】
【００３６】
１０  消去部
１２  消去具
１４  軸筒
１６  保持部
１８  筆記部
【図１】
0006731239.tif 000002
【図２】
0006731239.tif 000003
【図３】
0006731239.tif 000004